(57)【要約】【課題】管の接続確認が容易で、接続信頼性の高い管継手の提供を目的とする。【解決手段】継手本体と、当該継手本体の内周面と管の外周面の間をＯリングでシールする、管の挿入接続用継手であって、継手本体の内周部に配設し、管の先端部にて押圧挿入される押込リングと、当該押込リングの後部にＯリングを配設するとともに当該Ｏリングの後部に当接し、且つＯリング押込み方向に付勢された押圧リングと、管の外周側に位置するロック部材とを有し、管の挿入差し込みにより押込リングが押圧前進するとそれに伴いＯリングが押圧リングに押圧され前進するようになっていて、管接続前の状態では継手本体の内周面とＯリングとの間に漏水用隙間部を有することを特徴とする。【選択図】  図１
2011033056.tif 000002
【特許請求の範囲】
【請求項１】
継手本体と、当該継手本体の内周面と管の外周面の間をＯリングでシールする、管の挿入接続用継手であって、
継手本体の内周部に配設し、管の先端部にて押圧挿入される押込リングと、
当該押込リングの後部にＯリングを配設するとともに当該Ｏリングの後部に当接し、且つＯリング押込み方向に付勢された押圧リングと、
管の外周側に位置するロック部材とを有し、
管の挿入差し込みにより押込リングが押圧前進するとそれに伴いＯリングが押圧リングに押圧され前進するようになっていて、管接続前の状態では継手本体の内周面とＯリングとの間に漏水用隙間部を有することを特徴とする管継手。
【請求項２】
継手本体と、当該継手本体の内周面と管の外周面の間をＯリングでシールする、管の挿入接続用継手であって、
継手本体の内周部に配設し、管の先端部にて押圧挿入される押込リングと、
当該押込リングの後部にＯリングを配設するとともに当該Ｏリングの後部に当接し、且つＯリング押込み方向に付勢された押圧リングと、
管の外周側に位置するロック部材とを有し、
管の挿入差し込みにより押込リングが押圧前進するとそれに伴いＯリングが押圧リングに押圧され前進するようになっていて、押圧リングは外周側に後方に向けて拡径したテーパー部を有し、
継手本体は内周側から外周側に向けて摺動可能な接続確認ピンを有し、
管接続前の状態では当該接続確認ピンの内周側端部が継手本体の内部に突出していて、管の挿入差し込みにより前進する押圧リングのテーパー部に当該接続確認ピンの内周側端部が当たり、外側に移動することで当該接続確認ピンの外周側端部が外側に向けて突出するものであることを特徴とする管継手。
【発明の詳細な説明】
【技術分野】
【０００１】
本発明は、ステンレス管、鋼管、樹脂管等をワンタッチに水密に接続可能な配管接続用管継手に関する。
【背景技術】
【０００２】
継手本体の内周部にステンレス管、鋼管、樹脂管等を挿入差し込み接続する管継手の分野においては、管材を差し込むだけでワンタッチで水密状態に接続する各種継手が提案されている。
この種の継手にあっては継手本体の内側に管を接続するものであるから、管が完全に最後まで差し込まれたか否かの確認を外部から判断するのが難しい問題がある。
そこで、特許文献１には、同公報図１及び図２に示すようににロックリングの筒部から、接続管の接続方向に沿った継手本体の基端側へ延びる１本の識別ピンを設け、ロックリングが基端側へ移動した状態では、識別ピンが環状壁部の外側に突出するものが開示されている。
しかし、同公報に開示する技術はロックリングが基端側に移動可能になる状態が、管の挿入初期に始まり、その時点ですでに識別ピンが外側に突出してしまい、必ずしも完全に管の差し込みが完了した状態を示すものではない。
【先行技術文献】
【特許文献】
【０００３】
【特許文献１】特許第３６３７８７３号公報
【発明の概要】
【発明が解決しようとする課題】
【０００４】
本発明は、管の接続確認が容易で、接続信頼性の高い管継手の提供を目的とする。
【課題を解決するための手段】
【０００５】
本発明に係る管継手は、継手本体と、当該継手本体の内周面と管の外周面の間をＯリングでシールする、管の挿入接続用継手であって、継手本体の内周部に配設し、管の先端部にて押圧挿入される押込リングと、当該押込リングの後部にＯリングを配設するとともに当該Ｏリングの後部に当接し、且つＯリング押込み方向に付勢された押圧リングと、管の外周側に位置するロック部材とを有し、管の挿入差し込みにより押込リングが押圧前進するとそれに伴いＯリングが押圧リングに押圧され前進するようになっていて、管接続前の状態では継手本体の内周面とＯリングとの間に漏水用隙間部を有することを特徴とする。
ここで、前進方向とは、管の先端部が挿入移動する方向を意味する。
また、管接続前の状態で継手本体の内周面とＯリングとの間に設けた漏水用隙間部とは、管の先端部が継手本体の内周部に挿入され、Ｏリングが前進移動すると、Ｏリングが管の外周部と継手本体の内周面の間を完全に止水するが、Ｏリングが完全に前進移動する前の状態にあっては、Ｏリングが摺接する継手本体の内周面に部分的に凹部あるいは凸部を形成してあり、Ｏリングとの間に液体が漏れる隙間を形成した趣旨である。
【０００６】
本発明にあっては、継手本体と、当該継手本体の内周面と管の外周面の間をＯリングでシールする、管の挿入接続用継手であって、継手本体の内周部に配設し、管の先端部にて押圧挿入される押込リングと、当該押込リングの後部にＯリングを配設するとともに当該Ｏリングの後部に当接し、且つＯリング押込み方向に付勢された押圧リングと、管の外周側に位置するロック部材とを有し、管の挿入差し込みにより押込リングが押圧前進するとそれに伴いＯリングが押圧リングに押圧され前進するようになっていて、押圧リングは外周側に後方に向けて拡径したテーパー部を有し、継手本体は内周側から外周側に向けて摺動可能な接続確認ピンを有し、管接続前の状態では当該接続確認ピンの内周側端部が継手本体の内部に突出していて、管の挿入差し込みにより前進する押圧リングのテーパー部に当該接続確認ピンの内周側端部が当たり、外側に移動することで当該接続確認ピンの外周側端部が外側に向けて突出するものであってもよい。
このようにすると、接続確認ピンの突出にて管の差し込み確認ができる。
【０００７】
本発明にあって、ロック部材は管の抜け止めを目的とするものであって、内側に係止歯を有するロック部材、縮径方向に付勢されたＣ形リング形状のロック部材であってもよい。
また、スリーブの外周部から内側に向けて爪状のロック部材をスライド保持してもよい。
【発明の効果】
【０００８】
本発明に係る管継手にあっては、継手本体の内周部に配設し、管の先端部にて押圧挿入される押込リングと、当該押込リングの後部にＯリングを配設するとともに当該Ｏリングの後部に当接し、且つＯリング押込み方向に付勢された押圧リングを有する構造を採用し、Ｏリングの移動が不十分だと継手本体の内周面との間に液体が漏れる隙間部を形成したので、管の挿入差込により押込リングが前進すると、Ｏリングも前進することで、継手本体の内周面とＯリングとの間に漏水用隙間部が消失し、止水されるので逆に漏水試験にて液漏れがすれば接続が不完全であることが判別でき、再接続すればよい。
【０００９】
また、本発明に係る管継手は、押圧リングが外周側に後方に向けて拡径したテーパー部を有し、継手本体は内周側から外周側に向けて摺動可能な接続確認ピンを有し、管接続前の状態では当該接続確認ピンの内周側端部が継手本体の内部に突出していて、管の挿入差し込みにより前進する押圧リングのテーパー部に当該接続確認ピンの内周側端部が当たり、外側に移動することで当該接続確認ピンの外周側端部が外側に向けて突出するものにすると、接続確認ピンの突出によりＯリングの移動が確認できるので管の接続完了確認が容易になる。
【図面の簡単な説明】
【００１０】
【図１】管を本発明に係る継手に接続する流れを示す。
【図２】管の接続に伴ってＯリングの移動と接続確認ピンが移動する部分の拡大図を示す。
【図３】本発明に係る継手の部品構成例を示す。
【図４】ロック部材の部品図を示す。
【図５】ロック部材をＣ形リングにした例を示す。
【図６】第２の実施例の部品構成例を示す。
【発明を実施するための形態】
【００１１】
本発明に係る管継手は管の差込により漏水隙間形成部からＯリングが移動して、止水する点及び、押圧リングの移動により、継手本体部から接続確認ピンが外側に突出する点に特徴があり、これらの特徴はそれぞれ単独で採用しても、両方を採用してもよい。
以下図面に基づいて具体的に説明する。
図３に本発明に係る継手の部品構成例を示し、図１及び図２に断面図を示す。
本実施例にあっては、略円筒状の継手本体１の一端に雄ねじ部１ａを形成した、いわゆるソケット型の例を示すが、エルボ型、チーズ型等形式は問わない。
継手本体１の最も奥側に管２０の先端部２０ａによって押し込まれる押込リング２を配設し、この押込リングの後側に当接するようにＯリング３を配設してある。
Ｏリング３の後側に押圧リング４を有する。
この押圧リング４は後方から前方に向けてスプリング６により付勢されている。
スプリング６は前方側の押圧リング４と後方のロック保持スリーブ７とで挟み込むように配設してある。
ロック保持スリーブ７は前後方向の凹部状の溝部７ａを形成し、この溝部７ａ内側に貫通した長孔７ｂを設けてある。
また、長孔７ｂから内側にロック爪部８ｂが突出し、且つこの長孔７ｂの大きさより外径が大きいベース部８ａを有するロック部材７を組み込んである。
本実施例では、ロック保持スリーブ７の外周部に６個配置した例になっているが、３個以上であればよい。
継手本体１の後端部には内部に組み込んだ部品が抜け出さないように抜け止めリング９を組み付ける。
【００１２】
次に継手に管を接続する流れを図１及び図２に基づいて説明する。
管２０の先端部２０ａを継手本体１の通水部１ｂの後端部から挿入する。
押圧リング４の外周部に設けた段差部４ｃとロック保持スリーブ７の段差部７ｃとの間にスプリング６を挟圧保持するようになっていて、ロック保持スリーブ７が後方に付勢されている。
継手本体の内周のロック収容部は、後方に縮径したテーパー形状部１ｆになっているためにロック部材８は縮径方向に付勢されていることになる。
従って、管を接続しない状態ではロック保持スリーブ７の後方側の段差部７ｄが抜け止めリング９に当接している。
【００１３】
継手本体に管２０を挿入すると、管２０の外周部にロック部材８の爪部８ｂが当接するが、図２（ｂ）に示すようにロック保持スリーブ７がスプリング６に対抗して少し前進することでロック部材８のベース部８ａの当接部が拡径し、管２０の挿入が容易になる。
管２０をさらに差し込むと、図２（ｃ）に示すようにＯリングの内側を通り、押込リング２の内周側に突出した段差部２ｂに管２０の先端部２０ａが突当たる。
押込リング２は外周部に変形可能なつば部２ａを有し、このつば部２ａが継手本体１の内周部に形成した係合部１ｈに当接保持されていた状態から、管２０の差し込み力にて、このつば部２ａが後方側に折れ曲がり、押込リング２が前進し、継手本体１の最深段差部１ｉに突当たるまで移動する。
管２０の差し込み前にあっては、継手本体の内周部のＯリング初期配置部に対応する位置に部分的な凹部１ｅを形成してあり、Ｏリング３の外周部に部分的に漏水部を有する。
Ｏリング３が前方に移動すると上記漏水部から当接位置がずれ、全周にわたって止水する止水部１ｇにてＯリング３が当接する。
よって、管２０の差し込みが不充分だとＯリング３の前進移動量が不充分になり、通水試験で漏水が確認される。
【００１４】
Ｏリング３を移動させる押圧リング４の外周部には後方に向けて拡径したテーパー部４ａを形成してあり、このテーパー部４ａに継手本体１の内周側から外周側に向けて形成した貫通孔１ｃに沿って摺動自在に配設した接続確認ピン１ｄの内周側端部が当接している。
従って、押圧リング４が前進移動し、テーパー部４ａにより、接続確認ピン１ｄが継手本体１の外側に突出することで目視による管２０の接続確認もできるようになっている。
【００１５】
図５及び図６に本発明に係る継手の変形例を示す。
先の実施例と異なる点を説明すると、ロック部材８がＣ形リング形状になっていて、割り部８ａと、Ｃ形リングの内部にロック用の爪部８ｂを形成してある。
このＣ形リングはロック保持スリーブ７の溝部７ａに装着され、溝部７ａの貫通した長孔７ｂから内側に爪部８ｂが突出する。
また、本実施例では押圧リング４がスプリング当接リング５を介してスプリング６により前方に付勢されていて、スプリング６はリング５の段差部５ａに当接している。
【符号の説明】
【００１６】
１      継手本体
１ｄ    接続確認ピン
２      押込リング
２ａ    爪部
３      Ｏリング
４      押圧リング
４ａ    テーパー部
４ｂ    Ｏリング当接部
５      スプリング当接リング
６      スプリング
７      ロック保持スリーブ
８      ロック部材
９      抜け止めリング
【図１】
2011033056.tif 000003
【図２】
2011033056.tif 000004
【図３】
2011033056.tif 000005
【図４】
2011033056.tif 000006
【図５】
2011033056.tif 000007
【図６】
2011033056.tif 000008
【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
継手本体と、当該継手本体の内周面と管の外周面の間をＯリングでシールする、管の挿入接続用継手であって、
継手本体の内周部に配設し、管の先端部にて押圧挿入される押込リングと、
当該押込リングの後部にＯリングを配設するとともに当該Ｏリングの後部に当接し、且つＯリング押込み方向に付勢された押圧リングと、
管の外周側に位置するロック部材とを有し、
管の挿入差し込みにより押込リングが押圧前進するとそれに伴いＯリングが押圧リングに押圧され前進するようになっていて、当該Ｏリングが押圧リングに押圧され前進する前の状態では継手本体の内周面とＯリングとの間に設けた漏水用隙間部から継手本体の外部に漏水するが、Ｏリングが押圧リングに押圧され前進すると、当該Ｏリングが漏水用隙間部から位置がずれ、全周にわたって止水することを特徴とする管継手。
【請求項２】
継手本体と、当該継手本体の内周面と管の外周面の間をＯリングでシールする、管の挿入接続用継手であって、
継手本体の内周部に配設し、管の先端部にて押圧挿入される押込リングと、
当該押込リングの後部にＯリングを配設するとともに当該Ｏリングの後部に当接し、且つＯリング押込み方向に付勢された押圧リングと、
管の外周側に位置するロック部材とを有し、
管の挿入差し込みにより押込リングが押圧前進するとそれに伴いＯリングが押圧リングに押圧され前進するようになっていて、押圧リングは外周側に後方に向けて拡径したテーパー部を有し、
継手本体は内周側から外周側に向けて摺動可能な接続確認ピンを有し、
管接続前の状態では当該接続確認ピンの内周側端部が継手本体の内部に突出していて、管の挿入差し込みにより前進する押圧リングのテーパー部に当該接続確認ピンの内周側端部が当たり、外側に移動することで当該接続確認ピンの外周側端部が外側に向けて突出するものであることを特徴とする管継手。
【手続補正２】
【補正対象書類名】明細書
【補正対象項目名】０００５
【補正方法】変更
【補正の内容】
【０００５】
本発明に係る管継手は、継手本体と、当該継手本体の内周面と管の外周面の間をＯリングでシールする、管の挿入接続用継手であって、継手本体の内周部に配設し、管の先端部にて押圧挿入される押込リングと、当該押込リングの後部にＯリングを配設するとともに当該Ｏリングの後部に当接し、且つＯリング押込み方向に付勢された押圧リングと、管の外周側に位置するロック部材とを有し、管の挿入差し込みにより押込リングが押圧前進するとそれに伴いＯリングが押圧リングに押圧され前進するようになっていて、当該Ｏリングが押圧リングに押圧され前進する前の状態では継手本体の内周面とＯリングとの間に設けた漏水用隙間部から継手本体の外部に漏水するが、Ｏリングが押圧リングに押圧され前進すると、当該Ｏリングが漏水用隙間部から位置がずれ、全周にわたって止水することを特徴とする。
ここで、前進方向とは、管の先端部が挿入移動する方向を意味する。
また、管接続前の状態で継手本体の内周面とＯリングとの間に設けた漏水用隙間部とは、管の先端部が継手本体の内周部に挿入され、Ｏリングが前進移動すると、Ｏリングが管の外周部と継手本体の内周面の間を完全に止水するが、Ｏリングが完全に前進移動する前の状態にあっては、Ｏリングが摺接する継手本体の内周面に部分的に凹部あるいは凸部を形成してあり、Ｏリングとの間に液体が漏れる隙間を形成した趣旨である。